(57)【特許請求の範囲】
【請求項１】
射出成形による、上部開口端に外鍔状に周設されるフランジ(7)を有する合成樹脂製のカップ容器であって、前記カップ容器を形成する周壁が、屈曲する部位あるいは段差状に肉厚が変化する部位に形成され、凹角部(11)を介して１８０°未満の開き角度に二つの壁面が連結する凹角領域(Rc)において、一方の壁面に連結する第１円弧と、他方の壁面に連結する第２円弧が交わる仮想交点(Cp)は前記凹角領域(Rc)の内側にあり、且つ前記第１円弧と前記第２円弧の双方に内接する、該第１円弧および該第２円弧よりも曲率半径の小さい第３円弧が該第１円弧と該第２円弧を連結して前記凹角部(11)を角取りするように、該凹角部(11)の近傍を、前記壁面の壁厚が前記凹角部(11)に向けて漸増する壁厚漸増領域(Rt)としたことを特徴とする合成樹脂製カップ容器。
【請求項２】
少なくとも一方の壁面が、曲率半径が５ｍｍ以上の円弧に沿って前記凹角部(11)を角取りするように、前記一方の壁面側の周壁の前記凹角部(11)に至る所定範囲を壁厚漸増領域(Rt)とした請求項１記載の合成樹脂製カップ容器。
【請求項３】
少なくとも一方の壁面が、曲率半径が異なる複数の円弧を連結した湾曲線に沿って前記凹角部(11)を角取りするように、前記一方の壁面側の周壁の前記凹角部(11)に至る所定範囲を、該凹角部(11)に向けて壁厚が漸増する壁厚漸増領域(Rt)とした請求項１記載の合成樹脂製カップ容器。
【請求項４】
壁厚漸増領域(Rt)における周壁の厚さの増分を、該壁厚漸増領域(Rt)の開始点(Sp)における厚さの１５〜５０％分とした請求項１、２または３の合成樹脂製カップ容器。
【請求項５】
側周壁(2)の上端部からフランジ(7)にかけて周壁が屈曲する部位に形成される凹角領域(Rc1)において、凹角部(11)を介して対向位置する一対の壁面に対応する前記側周壁(2)の上端部とフランジ(7)の双方の周壁について、前記凹角部(11)に至る所定範囲を壁厚漸増領域(Rt)とした請求項１、２、３または４記載の合成樹脂製カップ容器。
【請求項６】
側周壁(2)の内壁面に、カップ容器を積み重ねた際のスタッキングを防止するための突片(8)が複数突設状に配設される構成とし、前記突片(8)により周壁の厚さが段差状に変化する部位に形成される凹角領域(Rc2)において、凹角部(11)を介して対向位置する、突片(8)の上方に位置する側周壁(2)の内壁面と突片(8)の上端面のうち、前記内壁面側の側周壁(2)について、前記凹角部(11)に至る所定範囲を壁厚漸増領域(Rt)とした請求項１、２、３または４記載の合成樹脂製カップ容器
【請求項７】
側周壁(2)の下端近傍の高さ位置から内鍔状周片(4)を介して底面壁(5w)を連設し、また前記側周壁(2)の下端部を内鍔状周片(4)より下方に突出させて接地部となる袴状の突出部(3)を形成する構成とし、前記内鍔状周片４から側周壁(2)の上方に屈曲する部位に形成される凹角領域(Rc3)と、下方に屈曲する部位に形成される凹角領域(Rc4)において、それぞれ凹角部(11)を介して対向位置する一対の壁面に対応する双方の周壁について前記凹角部(11)に至る所定範囲を壁厚漸増領域(Rt)とした請求項１、２、３または４記載の合成樹脂製カップ容器。
【発明の詳細な説明】
【技術分野】
【０００１】
本発明は、射出成形による合成樹脂製のカップ容器に関する。
【背景技術】
【０００２】
近年、射出成形による合成樹脂製のカップ容器が飲料用容器の容器本体として数多く使用されている。たとえば、特許文献１にも記載があるように、この種の射出成形によるカップ容器を成形する金型は、カップ容器の底部の中央部から溶融樹脂を注入する構造になっており、溶融樹脂は、底面壁、側周壁を経てフランジへと充填される。
【先行技術文献】
【特許文献】
【０００３】
【特許文献１】特開２０００−１２８１４１号公報
【発明の概要】
【発明が解決しようとする課題】
【０００４】
ここで、射出成形のカップ容器では、比較的低分子量の合成樹脂を使用することができるのでその周壁を薄肉化できる等の特徴を有するが、一方で特許文献１に、射出成形によるポリエステル樹脂製のカップ容器における溶融樹脂の流動に伴う分子配向に起因する衝撃強度の低下について言及があるように、省資源や低コスト化の要請から軽量化、すなわち周壁の薄肉化を進めると、合成樹脂の分子量が比較的低いこと、樹脂流動における分子配向の影響が相俟って内容液を充填してシールした容器の落下による衝撃や、容器の積載時の座屈変形により割れが発生しやすくなる云う問題がある。
【０００５】
特に、周壁が屈曲する領域、あるいは厚さが段差的に変化する領域で凹角部を介して１８０°未満の開き角度に壁面が連結する凹角領域で割れが発生し易い。
図６は、従来のカップ容器のフランジ近傍の縦断面図で、側周壁１０２の上端部からフランジ１０７にかけて周壁が屈曲する部位を示している。この図に見られるように、凹角部１１１での応力集中に起因するこの凹角部１１１を起点とした割れの発生を抑制するため、この種の凹角部１１１では、通常、曲率半径が０．１〜１ｍｍ程度の円弧で角取りする。ところが、周壁の薄肉化を進めると今度は、図中符号Ｓｔで示す角取りした円弧の終点で、割れが発生し易くなってしまう。
【０００６】
そこで、本発明の技術的な課題は、射出成形によるカップ容器の薄肉化に伴う、凹角部の近傍領域を基点とした、落下時の衝撃力や、容器の積載時の座屈変形による割れの発生を、周壁の形状により効果的に抑制することを技術的課題とするものである。
【課題を解決するための手段】
【０００７】
上記技術的課題を解決する手段の内、本発明の主たる構成は、
射出成形による、上部開口端に外鍔状に周設されるフランジを有する合成樹脂製のカップ容器において、
カップ容器を形成する周壁が、屈曲する部位あるいは段差状に肉厚が変化する部位に形成され、凹角部を介して１８０°未満の開き角度に二つの壁面が連結する凹角領域にあって、
一方の壁面に連結する第１円弧と、他方の壁面に連結する第２円弧が交わる仮想交点は凹角領域の内側にあり、且つ第１円弧と第２円弧の双方に内接し、その第１および第２円弧よりも曲率半径の小さい第３円弧が第１円弧と第２円弧を連結して凹角部を角取りするように、凹角部の近傍を、壁面の壁厚が凹角部に向けて漸増する壁厚漸増領域とする、と云うものである。
【０００８】
上記構成よれば、一方の壁面が凹角部を角取りするように、この凹角部の近傍をこの一方の壁面側の周壁が凹角部に向けて漸増する壁厚漸増領域とすることにより、周壁の厚さを本来の厚さから凹角部に向けて緩やかに漸増させて、薄肉化による軽量化効果を大きく損なうことなく凹角部の近傍の広い範囲を厚肉化することができる。
【０００９】
そして、周壁の撓み変形の支点となる凹角部から周壁の厚さを漸減するようにし、緩やかに周壁が本来の厚さを有する領域に連結することにより、凹角部の近傍領域における応力を広い範囲に分散することができ、落下時の衝撃力や、容器の積載時の座屈変形による、凹角部の近傍領域での割れの発生を効果的に抑制することが可能となる。
【００１０】
ここで、カップ容器には一般的に数多くの凹角部そして凹角領域が存在するが、そのすべてについて上記、壁厚漸増領域に係る構成を適用する必要はなく、個々の凹角領域への外力の作用態様や、個々の凹角領域での壁面の開き角度や周壁の厚さ等の形状を考慮し、さらには、落下試験や積載試験における割れの発生のし易さを考慮して、適用の有無を選択することができる。
【００１１】
また、壁厚漸増領域に係る構成を適用する個々の凹角領域においても、凹角部を介して対向位置する一対の壁面に対応する両周壁の壁厚や、外力の作用態様を考慮して、一方の壁面に対してだけに壁厚漸増領域に係る構成を適用することができるし、勿論双方の壁面に対して壁厚漸増領域に係る構成を適用することもできる。
【００１２】
本発明の他の構成は、上記主たる構成において、少なくとも一方の壁面が、曲率半径が５ｍｍ以上の円弧に沿って凹角部を角取りするように、一方の壁面側の周壁の凹角部に至る所定範囲を壁厚漸増領域とする、と云うものである。
【００１３】
上記構成よれば、一方の壁面が、曲率半径が５ｍｍ以上の緩やかな円弧に沿って凹角部を角取りするように、この凹角部の近傍でこの壁面側の周壁に壁厚漸増領域を配置することにより、従来から凹角部の角取りに用いている曲率半径が０．１〜１ｍｍ程度の円弧を利用するのに比較して、周壁の厚さを本来の厚さから凹角部に向けてスムーズに緩やかに漸増させることができる。
円弧の曲率半径を大きくし、壁厚漸増領域における漸増の態様を直線状にすることもできる。
【００１４】
本発明のさらに他の構成は、上記主たる構成において、少なくとも一方の壁面が、曲率半径が異なる複数の円弧を連結した湾曲線に沿って凹角部を角取りするように、一方の壁面側の周壁の前記凹角部に至る所定範囲を、凹角部に向けて壁厚が漸増する壁厚漸増領域とする、と云うものである。
【００１５】
上記構成よれば、一方の壁面が、曲率半径が異なる複数の円弧を連結した湾曲線に沿って凹角部を角取りするようにすることにより、より自在に壁厚漸増領域での漸増の態様に対応することができ、応力をより効率的に広い範囲に分散させることが可能となる。
【００１６】
本発明のさらに他の構成は、上記主たる構成において、壁厚漸増領域における周壁の厚さの増分を、この壁厚漸増領域の開始点における厚さの１５〜５０％分とする、と云うものである。
【００１７】
壁厚漸増領域における周壁の厚さの増分をどの程度にするかについては、個々の凹角領域への外力の作用態様や個々の凹角領域の開き角度や周壁の厚等の形状共に、薄肉化による軽量化効果を大きく損なわない範囲で適宜決めるものであるが、この種のカップ容器の周壁の厚さは０．５〜１ｍｍ程度であり、凹角部の近傍での厚肉化の程度に係る壁厚漸増領域における周壁の厚さの増分は、１５〜５０％分とすることが好ましい。
【００１８】
本発明のさらに他の構成は、上記主たる構成において、側周壁の上端部からフランジにかけて周壁が屈曲する部位に形成される凹角領域において、凹角部を介して対向位置する一対の壁面に対応する側周壁とフランジの双方の周壁について、凹角部に至る所定範囲を壁厚漸増領域とする、と云うものである。
【００１９】
側周壁の上端部からフランジにかけての凹角領域は、カップ状の容器の開口端近傍に位置すること、フランジの外周端は自由端であること等が相俟って、外力による変形が大きく、大きな応力が作用するため、割れが発生しやすい領域であり、双方の周壁について壁厚漸増領域に係る構成を適用することが好ましい。
【００２０】
本発明のさらに他の構成は、上記主たる構成において、側周壁の内壁面に、カップ容器を積み重ねた際のスタッキングを防止するための突片が複数突設状に配設される構成とし、この突片により周壁の厚さが段差状に変化する部位に形成される凹角領域において、
凹角部を介して対向位置する、突片の上方に位置する側周壁の内壁面と突片の上端面のうち、内壁面側の側周壁について、凹角部に至る所定範囲を壁厚漸増領域とする、と云うものである。
【００２１】
上記、突片が配設される部分は、周壁の壁厚が段差状に変化する部位の具体例である。カップ容器の積み重ね操作、あるいは積重状態での落下等によりこの突片近傍の凹角領域には大きな応力が作用するため、割れが発生しやすい領域であるが、基本的には上記構成のように、内壁面側の側周壁に壁厚漸増領域に係る構成を適用することにより、上記した割れの発生を効果的に抑制することが可能となる。
【００２２】
本発明のさらに他の構成は、上記主たる構成において、側周壁の下端近傍の高さ位置から内鍔状周片を介して底面壁を連設し、また側周壁の下端部を内鍔状周片より下方に突出させて接地部となる袴状の突出部を形成する構成とし、
内鍔状周片から側周壁の上方に屈曲する部位に形成される凹角領域と、下方に屈曲する部位に形成される凹角領域において、
凹角部を介して対向位置する一対の壁面に対応する双方の周壁について凹角部に至る所定範囲を壁厚漸増領域とする、と云うものである。
【００２３】
底面壁から側周壁にかけ屈曲する部位にかかる上記した２つの凹角領域も外力の作用により大きな応力が発生する領域であるが、上記構成により２つの凹角領域のそれぞれについて、双方の周壁に壁厚漸増領域を配設することにより、この応力を広い範囲に分散させることが可能となる。
【発明の効果】
【００２４】
本発明は、上記した構成となっているので、以下に示す効果を奏する。
本発明の主たる構成を有するカップ容器では、一方の壁面を角取りするように凹角部の近傍を周壁の壁厚が前記凹角部に向けて漸増する壁厚漸増領域とすることにより、周壁の厚さを本来の厚さから凹角部に向けて緩やかに漸増させて、薄肉化による軽量化効果を大きく損なうことなく凹角部の近傍の広い範囲を厚肉化することができる。
そして、周壁の撓み変形の支点となる凹角部から周壁の厚さを漸減するようにし、緩やかに周壁の本来の厚さを有する領域に連結することにより、凹角部の近傍領域における応力を広い範囲に分散することができ、落下時の衝撃力や、容器の積載時の座屈変形による、凹角部の近傍領域での割れの発生を効果的に抑制することができる。
【図面の簡単な説明】
【００２５】
【図１】本発明のカップ容器の一実施例を示す半縦断正面図である。
【図２】図１の容器の平面図である。
【図３】図１の容器のフランジ近傍の縦断面図である。
【図４】図１の容器の突片近傍の縦断面図である。
【図５】図１の容器の底部近傍の縦断面図である。
【図６】比較として示す、従来のカップ容器のフランジ近傍の縦断面図である。
【発明を実施するための形態】
【００２６】
以下、本発明の実施例に沿って、図面を参照しながら説明する。
図１〜図５は本発明の合成樹脂製カップ容器の一実施例を示すものであり、図１は半縦断正面図、図２は平面図、図３はフランジ７近傍の縦断面図、図４は突片８近傍の縦断面図、図５は底部５近傍の縦断面図である。
このカップ容器はポリプロピレン樹脂製の射出成形品で、全高さは１１８ｍｍで、円筒状の側周壁２の上端部の径は６５ｍｍであり下端部の径５１ｍｍまで直線状に緩やかに縮径しており、容量は２５０ｍｌである。
なお、図３〜５の縦断面図、また図６縦断面図では説明し易いようにハッチングは省略しており、図中Ｒ１、Ｒ５、Ｒ１０等は曲率半径を示し、例えばＲ５は曲率半径が５ｍｍであることを示す。
【００２７】
側周壁２の上部開口端には外鍔状にフランジ７周設されている。
また、側周壁２の内壁面にはカップ容器を積み重ねた際のスタッキングを防止するための突片８が等中心角度間隔で複数突設されている。
【００２８】
また、側周壁２の下端に近い高さ位置から内鍔状周片４を介して中央部に陥没凹部６が連設されており、これら内鍔状周片４と陥没凹部６により底面壁５ｗが形成されている。また、側周壁２の下端部ではその下端を内鍔状周片４より下方に突出させて、袴状の突出部３を形成するようにしており、この突出部３の下端面が接地部となる。
【００２９】
ここで、このカップ容器１には、周壁が屈曲する部位、あるいは周壁の肉厚が段差状に変化する部位で、凹角部１１を介して１８０°未満の開き角度に一対の壁面が連結する凹角領域Ｒｃが多数あり、図１ではこの中、代表的な凹角領域Ｒｃ１、Ｒｃ２、Ｒｃ３、Ｒｃ４、Ｒｃ５を矢印で示している。
このうち、Ｒｃ１は側周壁２の上端部からフランジ７に至る周壁が屈曲する部位、Ｒｃ２は突片８の突設により肉厚が段差状に変化する部位、底部５近傍に位置するＲｃ３、Ｒｃ４、Ｒｃ５は周壁が屈曲部する部位に係る凹角領域である。
【００３０】
図３は、フランジ７近傍の縦断面図であり、凹角部１１を介して側周壁２の壁面である壁面１２ｂとフランジ７の下端面に相当する壁面１２ａが９３°の開き角度で連結した、凹角領域Ｒｃ１の形状を説明するためのものである。
一方の壁面１２ａ側のフランジ７の、図中の開始点Ｓｐａから凹角部１１に至る範囲には曲率半径が５ｍｍの円弧に沿って、壁厚を凹角領域Ｒｃ１側に漸増させるようにした壁厚漸増領域Ｒｔａを配設し、壁面１２ａが、曲率半径５ｍｍの円弧に沿って凹角部１１を角取りするようにしている。
【００３１】
他方、壁面１２ｂ側の側周壁２の、図中の開始点Ｓｐｂから凹角部１１に至る範囲には曲率半径が１０ｍｍの円弧に沿って、壁厚を凹角領域Ｒｃ１側に漸増させるようにした壁厚漸増領域Ｒｔｂを配設し、壁面１２ｂが、曲率半径１０ｍｍの円弧に沿って凹角部１１を角取りするようにしている。
すなわち、この凹角領域Ｒｃ１では、凹角部１１が双方の壁面１２ａ、１２ｂにより円弧状に二重に角取りされている。また、両円弧の交点Ｃｐ近傍で曲率半径が１ｍｍの円弧で、曲率半径が５ｍｍと１０ｍｍの両円弧を連結している。
【００３２】
ここで、壁厚漸増領域Ｒｔａの交点Ｃｐ位置における厚さの増分ｔａ１は０．３３ｍｍで、フランジ７の開始点Ｓｐａ位置における厚さ、すなわちフランジ７が本来の厚さを有する領域Ｒａａでの厚さｔａである０．７５ｍｍの４４％で、他方、壁厚漸増領域Ｒｔｂの交点Ｃｐ位置における厚さの増分ｔｂ１は０．２６ｍｍで、側周壁２の開始点Ｓｐｂ位置における厚さ、すなわち本来の厚さを有する領域Ｒａｂの壁厚ｔｂである０．６０ｍｍの４３％である。
【００３３】
そして全体として、両周壁の厚さを領域Ｒａａや領域Ｒａｂで示される本来の厚さを有する領域から凹角部１１に向けて緩やかに漸増させて、薄肉化による軽量化効果を大きく損なうことなく、凹角部１１の近傍の広い範囲で厚肉化を達成することができ、視点を変えて云えば、フランジ７と側周壁２の両周壁の撓み変形の支点となる凹角部１１から周壁の厚さを漸減するようにし、緩やかに両周壁の本来の厚さを有する領域Ｒａａ、Ｒａｂに連結することにより、凹角部１１の近傍領域における応力を広い範囲に分散することができ、
図６に示した、従来のカップ容器のフランジ近傍の凹角部１１１近傍でみられる、凹角部１１１近傍での応力集中に起因する落下時の衝撃力や、容器の積載時の座屈変形による、凹角部の近傍領域での割れの発生を効果的に抑制することができるようになった。
なお、この例では双方の周壁に壁厚漸増領域を配設する構成としたが、作用する外力の作用態様等を考慮して、一方の周壁にだけ壁厚漸増領域を配設する構成とすることもできる。
【００３４】
次に、図４は、突片８近傍の縦断面図で、周壁の厚さが段差状に変化する部位の具体的な例で、また凹角部１１を介して連結する壁面の一方にだけ壁厚漸増領域を配設した例であり、凹角部１１を介して側周壁２側の壁面である壁面１２ａから突片８の上端面に相当する壁面１２ｂが８８°の開き角度で連結した、凹角領域Ｒｃ２の形状を説明するためのものである。
【００３５】
ここでは、壁面１２ａ側の側周壁２の、図中の開始点Ｓｐａから凹角部１１に至る範囲には曲率半径が１０ｍｍの円弧に沿って、壁厚を凹角部１１側に漸増させるようにした、壁厚漸増領域Ｒｔａを配設し、壁面１２ａが曲率半径が１０ｍｍの円弧に沿って凹角部１１を角取りするようにしている。
また、この曲率半径が１０ｍｍの円弧と壁面１２ｂの交点Ｃｐ近傍では曲率半径が０．１５ｍｍの円弧で曲率半径が１０ｍｍの円弧と壁面１２ｂを連結するようにしている。
【００３６】
そして、壁厚漸増領域Ｒｔａの交点Ｃｐ位置における厚さの増分ｔａ１は０．１３ｍｍで、側周壁２の開始点Ｓｐａ位置における厚さ、すなわち側周壁２の本来の厚さを有する領域Ｒａａの壁厚ｔａである０．６５ｍｍの２０％としており、薄肉化による軽量化効果を損なうことなく、凹角部１１の近傍の広い範囲で緩やかに漸増する厚肉化を達成し、側周壁２の撓み変形の支点となる凹角部１１から周壁の厚さを漸減するようにし、緩やかに周壁の本来の厚さを有する領域Ｒａａに連結することにより、凹角部１１の近傍領域における応力を広い範囲に分散することができる。
【００３７】
次に、図５には底部５近傍の縦断面図で、落下時の衝撃力や、容器の積載時の座屈変形により大きな応力が作用する凹角領域Ｒｃ３、Ｒｃ４、Ｒｃ５が示されているが、ここでは底面壁５ｗの一部である内鍔状周片４から側周壁２あるいは突出部３へ周壁が屈曲する部位に形成される凹角領域Ｒｃ３と凹角領域Ｒｃ４の形状について説明する。
まず、凹角領域Ｒｃ３は凹角部１１を介して９２°の開き角度で側周壁２の壁面１２ａと内鍔状周片４の上端面に相当する壁面１２ｂが連結する部位であり、壁面１２ａ側の側周壁２の、図中の開始点Ｓｐａから凹角部１１に至る範囲に曲率半径が１０ｍｍの円弧に沿って、壁厚を凹角領域Ｒｃ３側に漸増させるようにした、壁厚漸増領域Ｒｔａを配設している。
【００３８】
他方、壁面１２ｂ側の内鍔状周片４の、図中の開始点Ｓｐｂから凹角部１１に至る範囲には曲率半径が７ｍｍの円弧に沿って、壁厚を凹角領域Ｒｃ３側に漸増させるようにした、壁厚漸増領域Ｒｔｂを配設しており、
また、両円弧の交点Ｃｐ近傍では曲率半径が１ｍｍの円弧で曲率半径が１０ｍｍと７ｍｍの両円弧を連結している。
そして、壁厚漸増領域Ｒｔａの交点Ｃｐ位置における厚さの増分ｔａ１は０．２１ｍｍで、側周壁２の本来の厚さを有する領域Ｒａｂにおける壁厚ｔａである０．７ｍｍの３０％である。
また、壁厚漸増領域Ｒｔｂの交点Ｃｐ位置における壁厚の増分ｔｂ１は０．１７ｍｍで、内鍔状周片４の本来の厚さを有する領域Ｒａｂでの壁厚ｔｂである０．７５ｍｍの２３％である。
【００３９】
次に、凹角領域Ｒｃ４は凹角部１１を介して９１°の開き角度で突出部３の壁面１２ｃと内鍔状周片４の下端面に相当する壁面１２ｄが連結する領域で、凹角領域Ｒｃ５を上下逆転したような形状であり、壁面１２ｃの側では曲率半径が１０ｍｍの円弧に沿って壁厚を漸増させるようにし、壁面１２ｄの側では曲率半径が３．９ｍｍの比較的小径の円弧に沿って壁厚を漸増させるようにして、両円弧の交点Ｃｐ近傍では曲率半径が０．５ｍｍの円弧で曲率半径が１０ｍｍと３．９ｍｍの両円弧を連結している。
【００４０】
以上、実施例に沿って本願発明の実施形態とその作用効果について説明したが、本願発明はこの実施例に限定されるものではない。
上記実施例ではポリプロピレン樹脂製としたがもちろん使用目的に応じて他の合成樹脂を選択することができる。
また、上記説明ではカップ容器に数多く形成される凹角領域のうち、大きな応力が作用し易いＲｃ１〜Ｒｃ５について言及したが、他の凹角領域についても個々の凹角領域への外力の作用態様や、個々の凹角領域での壁面の開き角度や周壁の厚さ等の形状を考慮し、壁厚漸増領域に係る構成を適用するかどうかを決め、適用する際には、その凹角領域の開き角度や周壁の厚等の形状を考慮し、周壁の薄肉化による軽量化効果を損なわない範囲で、壁厚の漸増の態様や、壁厚漸増領域での厚さの増分を決めることができる。
【００４１】
また、上記実施例では、所定の曲率半径を有する１つの円弧に沿って壁厚を漸増させる構成としたが、異なる曲率半径を有する複数の円弧を連結して形成される緩やかな湾曲線に沿って壁厚を漸増させる構成とすることもでき、さらには直線状に厚を漸増させる構成とすることもできる。
【産業上の利用可能性】
【００４２】
以上説明したように、本発明の合成樹脂製カップ容器は、周壁の屈曲部等に形成される凹角部の近傍での割れの発生を効果的抑制できるものであり、特に周壁の薄肉化が要求される用途での幅広い利用展開が期待される。
【符号の説明】
【００４３】
１  ；容器
２  ；側周壁
３  ；突出部
４  ；内鍔状周片
５  ；底部
５ｗ；底面壁
６  ；陥没凹部
７  ；フランジ
８  ；突片
１１；凹角部
１２ａ、１２ｂ、１２ｃ、１２ｄ；壁面
Ｒａａ、Ｒａｂ；領域
Ｒｃ（Ｒｃ１、Ｒｃ２、Ｒｃ３、Ｒｃ４、Ｒｃ５）；凹角領域
Ｒｔ（Ｒｔａ，Ｒｔｂ）；壁厚漸増領域
Ｓｐａ、Ｓｐｂ；開始点
【図１】
0005561600.tif 000002
【図２】
0005561600.tif 000003
【図３】
0005561600.tif 000004
【図４】
0005561600.tif 000005
【図５】
0005561600.tif 000006
【図６】
0005561600.tif 000007